(57)【要約】      （修正有）【課題】使用中の安全性が高く、且つ組み立て時の操作性、組み立て後の動作性能及び緩みのない安定的な固定機能を有するロッカー装置を提供する。【解決手段】プラスチックにより成形された底板と背板と左右二つの側板４と天板６と前面扉とから組み立てられて成るロッカー装置であって、天板６と側板４間に両者を連結する被係止機構２４とフック機構１１とを天板６にて遮蔽するようにして設け、該フック機構１１におけるフック部材１３は、被係止機構２４に係脱する係止部１５ａを備えたフック頭部１５と、中央にガイド孔２０を有するスライド板１９と、略中央に挟持片１７ａ及び下方に摘み片１８とを、フック頭部１５と９０度角度を変えて突設してなる操作レバー１６を有する。【選択図】図７
0003207854.tif 000002
【実用新案登録請求の範囲】
【請求項１】
プラスチックにより成形された底板と背板と左右側板と天板と前面扉とから組み立てられる棚ユニットからなるロッカー装置であって、
前記天板の下側に、下端に水平なガイド板部を形成した上部ガイドと、下端に水平な係止板部を形成した下部ガイドとを各設けるとともに、前記ガイド板部と前記係止板部とを対向配置させてなる被係止機構を具備し、
一方、前記側板のプレート部に開口した前後方向に長いガイド孔にフック部材を挿着することで前記天板を、当該天板で遮蔽される状態で前記側板へ連結固定するフック機構を具備し、
前記フック機構におけるフック部材は、上部に前記側板のプレート部のガイド孔上面を摺動して前記被係止機構の係止板部に係脱する係止部を先端に設けたフック頭部と、前記プレート部のガイド孔と連通するよう略中央に前後方向に長いガイド孔を開口し、前記側板のプレート部下面に摺動自在に当接保持されるスライド板と、前記フック頭部の下面に、前記側板と前記スライド板の両ガイド孔を挿通して前記棚ユニット内部下方に垂設され、略中央部に前記スライド板を前記プレート部下面に固定保持する挟持片を突設させ、且つ下方に前記挟持片と同方向に摘み片を突設させた操作レバーとを有してなることを特徴とするロッカー装置。
【請求項２】
前記フック部材のフック頭部先端に形成された係止部と前記操作レバーの挟持片及び摘み片とは９０度向きを変えてそれぞれ形成してなる前記請求項１記載のロッカー装置。
【請求項３】
前記スライド板の上面両端に小突起を形成し、該小突起を前記側板のプレート部の前端下方に設けられた複数個の係合凹部に、前記フック部材の係脱位置においてそれぞれパッチン止めされるものとしてなる前記請求項１記載のロッカー装置。
【考案の詳細な説明】
【技術分野】
【０００１】
本考案は、例えば学校等のパーソナルロッカーシステムとして複数段に積み重ねて使用するプラスチック製のロッカー装置に関する。
【背景技術】
【０００２】
近年、児童生徒の備品等を収容保管する多段式のロッカーが学校等の教育機関に普及している。このようなロッカーは、例えば特許文献１に開示されている。
因みに、この特許文献１には１個のロッカー（棚ユニット）を二段あるいは三段に積み重ねて構成した多段式ロッカー装置が記載されているが、以下上下二段の多段式ロッカー装置を図１２に基づいて説明する。
【０００３】
すなわち、図１２に示すように、２個の棚ユニット１００Ａ、１００Ｂを備え、各棚ユニット１００Ａ、１００Ｂは底板１０１と背板１０２と左右の側板１０３と天板１０４と前面扉１０５とからボックス状に組み立て形成されるとともに、不図示のジョイント部材を介して上下二段に連結されている。
【０００４】
そして、各棚ユニット１００Ａ、１００Ｂ上面の天板１０４上側の後端および左右両端中央には前記不図示のジョイント部材を下半部を嵌合する嵌合溝１０７、１０８が各凹設されている。尚、図１２では、上段の棚ユニット１００Ａのみ天板１０４の嵌合溝１０７、１０８が示されているが、下段の棚ユニット１００Ｂの天板１０４も同構造に形成されている。
【０００５】
また、前記天板１０４と前記側板１０３との間には両部材を連結固定するためのフック機構１０９が設けられている。
以下、このフック機構１０９を図１３に基づいて詳細に説明する。
【０００６】
先ず、前記天板１０４中央の前記ジョイント部材の嵌合溝１０８の両側（図１２では前面扉１０５の手前右側のみ示す）に長孔１１０が開設され、該長孔１１０の下方両側に所定の間隔を置いて、つまり上下の貫通口１１２を介して、一対の略コ字型の下向きの嵌合凹部１１１が対向形成されている。尚、１１０Ａは長孔１１０の内壁部を示す。
【０００７】
さらに、一方の下向きの嵌合凹部１１１下端には前記貫通口１１２に向けて係止板部１１３が延設されるとともに、前記貫通口１１２の略中央上方（前記係止板部１１３の斜め上方）に所定の間隔を置いてガイド部材１１４が配置されている。
【０００８】
他方、棚ユニット１００Ａ、１００Ｂの構成部材たる側板１０３の上端両側には、前記天板１０４の長孔１１０の下方両側に所定の間隔、つまり上下の貫通口１１２を介して設けられた一対の中空状の嵌合突起１１５が突設されるとともに、前記天板１０４の上下貫通口１１２と連通するように前後方向に長いガイド孔１１６が開口されている。
【０００９】
前記側板１０３の嵌合突起１１５は前記天板１０４の嵌合凹部１１１にそれぞれ嵌合される。これにより前記天板１０４は前記側板１０３に安定して保持される。
【００１０】
次いで、前記右側板１０３のガイド孔１１６には全体を略逆Ｌ字型に形成したフック部材１１７が前後方向に摺動自在に挿着されている。
【００１１】
詳しくは、このフック部材１１７は、前記天板１０４の貫通口１１２内において、前記係止板１１３と、その斜め上方に配置されたガイド部材１１４間をスライドするフック頭部１１８と、前記側板１０３のガイド孔１１６に前後方向へ摺動自在に挿着される中間軸部１１９と、この中間軸部１１９の下方に垂設された操作レバー１２０とから構成されている。
【００１２】
前記操作レバー１２０は棚ユニット１００Ａ、１００Ｂ内部に配設され、前面扉１０５を開けることによって棚ユニット１００Ａ、１００Ｂ内部に手を入れ当該操作レバー１２０を前後移動操作させることによってフック頭部１１８をガイド部１１４Ａに沿って前後方向へ摺動させ前記天板１０４の係止板１１３に対して係脱させるものとなっている。
【先行技術文献】
【特許文献】
【００１３】
【特許文献１】登録実用新案第３１８４５５８号公報
【考案の概要】
【考案が解決しようとする課題】
【００１４】
しかしながら、前記した公知の技術文献に示す多段式ロッカー装置では、図１２および図１３に示したように、天板１０４に長孔１１０が開設され、該長孔１１０の両側に下向きの嵌合凹部１１１が上下貫通口１１２を介して前後位置に対向形成される一方、左右側板１０３の上端に前記天板１０４の両嵌合凹部１１１に対して下方より嵌合する中空状の嵌合突起１１５が前後位置に対抗突設され、両嵌合突起１１５間に前記天板１０４の上下貫通口１１２と連通するようガイド孔１１６が設けられ、且つ前記ガイド孔１１６にフック機構１０９の主要部を構成するフック部材１１７が挿着されて成るものであるから以下のような問題がある。
【００１５】
すなわち、例えば図１２に示すように、上段の棚ユニット１００Ａ内部に配置された操作レバー１２０を図中左側に押し込み天板１０４の係止板１１３上面へフック部材１１７のフック頭部１１８を係止させておいても、前記フック部材１１７が天板１０４の長孔１１０を通って外部へ露出している構造のため、例えばドライバー等の工具１２１を前記長孔１１０から差し込んでフック部材１１７のフック頭部１１８を強制的に後退させることができる。これによって棚ユニット１００Ａ外部から天板１０４のフック解除が可能となる。
【００１６】
このようにして外側より天板１０４を棚ユニット１００Ａから取り外すことが容易であるから、例え棚ユニット１００Ａの前面扉１０５を施錠しておいても当該棚ユニット１００Ａ内部に収納されている物品等を盗み出すことが容易であり安全性に欠けるものであった。
【００１７】
また、従来のフック機構１０９はフック部材１１７の側板１０３に対する取り付及び取り外しが容易でなく、組み立て時の操作性が悪いうえに、組み立て後のフック部材１１７のスライド動作がスムーズでなく、且つ側板に対する固定も緩みがあり安定的でない等々の問題があった。
【００１８】
そこで、本考案は、如上のような従来存した諸事情に鑑み創出されたもので、使用中に棚ユニット上部を覆う天板を工具等を使って容易にこじ開けるのを防止し、これによって使用上の安全性を高め、且つフック機構の組み立て時の操作性、組み立て後の動作性能及び緩みのない安定的な固定機能を有するロッカー装置を提供することを目的とする。
【課題を解決するための手段】
【００１９】
前記した課題を解決するために、本考案にあっては、プラスチックにより成形された底板と背板と左右側板と天板と前面扉とから組み立てられる棚ユニットからなるロッカー装置であって、
前記天板の下側に、下端に水平なガイド板部を形成した上部ガイドと、下端に水平な係止板部を形成した下部ガイドとを各設けるとともに、前記ガイド板部と前記係止板部とを対向配置させてなる被係止機構を具備し、
一方、前記側板のプレート部に開口した前後方向に長いガイド孔にフック部材を挿着することで前記天板を、当該天板で遮蔽される状態で前記側板へ連結固定するフック機構を具備し、
前記フック機構におけるフック部材は、上部に前記側板のプレート部のガイド孔上面を摺動して前記被係止機構の係止板部に係脱する係止部を先端に設けたフック頭部と、前記プレート部のガイド孔と連通するよう略中央に前後方向に長いガイド孔を開口し、前記側板のプレート部下面に摺動自在に当接保持されるスライド板と、前記フック頭部の下面に、前記側板と前記スライド板の両ガイド孔を挿通して前記棚ユニット内部下方に垂設され、略中央部に前記スライド板を前記プレート部下面に固定保持する挟持片を突設させ、且つ下方に前記挟持片と同方向に摘み片を突設させた操作レバーとを有してなることを特徴とする。
【００２０】
前記フック部材のフック頭部先端に形成された係止部と前記操作レバーの挟持片及び摘み片とは９０度向きを変えてそれぞれ形成してなる。
【００２１】
前記スライド板の上面両端に小突起を形成し、該小突起を前記側板のプレート部の前端下方に設けられた複数個の係合凹部に、前記フック部材の係脱位置においてそれぞれパッチン止めされるものとしてなる。
【考案の効果】
【００２２】
請求項１によれば、天板下側に配設された上部ガイドと下部ガイドからなる被係止機構と側板のガイド孔に挿着されたフック部材からなるフック機構とを具備し、前記フック部材は前記天板の被係止機構に係脱するとともに、上面を前記天板にて遮蔽されているものであるから、ロッカーの使用中に天板上方からドライバー等の工具を使用してフック部材を操作して棚ユニットから天板を取り外すことができず保管中の物品等の盗み出しを確実に防止し得る。したがって、従来品のロッカー装置と比べて極めて安全性が高いものである。
【００２３】
また、前記フック部材は、前記側板のプレート部上面に位置するフック頭部下面に垂設された操作レバーの略中央部に設けた挟持片にて側板のプレート部下面にスライド板を介して保持されるため、前記フック頭部や操作レバーがぐらつくことなく側板のプレート部に安定して取り付けられる。
【００２４】
さらに、前記操作レバー下方には前記挟持片と同方向に摘み片を突設したものであるから、手指を使って操作レバーを前後方向に移行させることが容易となり使い勝手が良いものである。
【００２５】
請求項２によれば、前記フック部材の係止部と操作レバーの挟持片及び摘み片とは９０度向きを変えて形成されているものであるから、前記フック部材の操作レバーを前記側板のプレート部及びスライド板のガイド孔に上方より挿通させるとき、先ず操作レバーの同方向に設けた挟持片及び摘み片の向きを前後ガイド孔の長さ方向に合致するように保持させ、次いで挿通後に操作レバーを９０度回動させることで前記摘み片を手指で操作し易いように側板内方へ突出させることができる一方、前記フック頭部の係止部は天板下側に設けられた被係止機構に係脱できる向きに保持させることができ、したがって、側板のプレート部に対するフック部材の取付け、取外しが容易で、組み立て性能に優れるとともに、使い勝手が極めて良いものである。
【００２６】
請求項３によれば、前記スライド板は、前記側板のプレート部の前端下方に設けられた複数個の係合凹部に小突起をパッチン止めすることで前記プレート部下面に固定するものであるから、前後方向へスムーズに摺動するとともに、フック部材の係脱位置において確実に固定することができるものである。
【図面の簡単な説明】
【００２７】
【図１】本考案を実施するための一形態を示す棚ユニットの正面図である。
【図２】同じく棚ユニットを上下二段に積み重ねて使用している状態の正面図である。
【図３】同じく棚ユニットを上下二段に積み重ねて使用している状態の斜視図である。
【図４】同じく下段の棚ユニットの天板および上段の棚ユニットの底板およびジョイント部材それぞれを組み立てる状態の分解斜視図である。
【図５】同じく上段の棚ユニットを組み立てる状態の分解斜視図である。
【図６】同じく天板の構成例を示し、（ａ）は平面図、（ｂ）は底面図である。
【図７】同じく側板上端に設けられた天板を固定するためのフック機構の構成例を示し、（ａ）は係止前の状態を示す拡大断面図、（ｂ）は係止後の状態を示す拡大断面図である。
【図８】同じくフック機構の構成部材を示すフック部材の斜視図である。
【図９】同じくフック機構の構成部材を示すスライド基板を示し、（ａ）は上方より見た斜視図、（ｂ）は下方より見た斜視図である。
【図１０】同じくフック機構のフック部材とスライド基板の組み立て途中の状態を示す内面図である。
【図１１】同じくフック機構のフック部材とスライド基板の組み立て後の状態を示す斜視図である。
【図１２】従来品のプラスチック製ロッカーを上下二段に積み重ねて使用している状態の斜視図である。
【図１３】従来品のプラスチック製ロッカーから天板を工具を使ってこじ開ける状態を示す説明図である。
【考案を実施するための形態】
【００２８】
以下、図面を参照して本考案の実施の一形態を詳細に説明する。
本考案に係るロッカー装置は、例えば学校等の教育機関におけるパーソナルロッカーシステムとして利用可能な例えばＡＢＳ樹脂等のプラスチック製材によって形成されている。このパーソナルロッカーシステムとは、入学時に生徒は自分専用のロッカーを購入し、在学中はパーソナルロッカーとして使用すると共に、卒業時にはメモリアルボックスとして自宅に持ち帰ることができるシステムである。
【００２９】
ロッカー装置は、図２、図３および図４に示すように、例えば二個の棚ユニットＡ、Ｂを上下二段に積み重ね可能となっており、これら各棚ユニットＡ、Ｂは、プラスチックにより一体成形された底板１、背板２、左側板３、右側板４、前面扉５、天板６それぞれからボックス状に組み立てられる。なお、図１には、上段の棚ユニットＢのみが示されている。
【００３０】
下段の棚ユニットＡにおける底板１の下面四隅には回転させることによって高さを固定する脚部材７が付設されており、これら脚部材７の高さをそれぞれ回転することによって下段の棚ユニットＡが水平に保持されるようになっている。また、前面扉５には、錠付きの取っ手８を有している。
【００３１】
図４及び、図５に示すように、棚ユニットＡ、Ｂにおける各底板１の上下面の後縁、上下面の左縁中央及び上下面の右縁中央には、中間仕切板１ｄを介して同長且つ同深度で上下双方に開口する計６個の嵌合溝１ａ、１ｂ、１ｃがそれぞれ形成されている。
【００３２】
図４及び図５に示す上段の棚ユニットＢの底板１の上側に位置する嵌合溝１ａ、１ｂ、１ｃは前記背板２、左側板３及び右側板４の下端中央に突設された嵌合突起にそれぞれ嵌合すものとなっている。尚、各図面には背板２、左側板３および右側板４の下端に突設した嵌合突起は図示されていないが、各板２、３、４の上端に突設された嵌合突起２ａ、３ａ、４ａと同一の突起が設けられているものである。
【００３３】
一方、前記底板１の下側に位置する嵌合溝１ａ、１ｂ、１ｃはジョイント部材１０の上半部が脱着自在にそれぞれ嵌合されるものとなっている。
【００３４】
また、図４、図５及び図６（ａ）、図６（ｂ）に示すように、前記天板６の上下の後縁中央、上下面の左縁中央及び上下面の右縁中央には中間仕切板６ｄを介して同長且つ同深度で上下双方に開口する計６個の嵌合溝６ａ、６ｂ、６ｃがそれぞれ形成されている。
【００３５】
図４及び図５に示す上下段の棚ユニットＡ、Ｂの天板６の上側に位置する嵌合溝６ａ、６ｂ、６ｃは前記ジョイント部材１０の下半部が脱着自在にそれぞれ嵌合されるものとなっている。
【００３６】
さらに、前記底板１の嵌合溝１ａ、１ｂ、１ｃ及び天板６の嵌合溝６ａ、６ｂ、６ｃの内部中間には仕切壁状のリブ１ｅ、６ｅが各形成され、これらに対応して各ジョイント部材１０の幅方向両側面中央には互いに内側に括れるよう凹部１０ａが上下対称に形成されており、各ジョイント部材１０の嵌合時には、リブ１ｅ、６ｅが凹部１０ａに係合することで底板１と天板６の前後左右のずれ込みを防止している
【００３７】
一方、図４、図５、図６（ｂ）及び図７（ａ）、（ｂ）に示すように、前記天板６の下側に位置する嵌合溝６ａ、６ｂ、６ｃは前記背板２、左側板３及び右側板４の上端中央に突設された嵌合突起２ａ、３ａ、４ａにそれぞれ嵌合するものとなっている。尚、前記各嵌合突起２ａ、３ａ、４ａ中央には天板６の嵌合溝６ａ、６ｂ、６ｃの中央に形成されたリブ６ｅが係合する溝部２ｂ、３ｂ、４ｂがそれぞれ形成されている。
【００３８】
また、前面扉５の一側端における上下対称位置には支軸９が一体形成されており、この支軸９を底板１および天板６それぞれの角部に貫設した軸孔５ａに挿着することで、前面扉５は支軸９を支点として閉鎖および前方に開かれるものとしてある。
【００３９】
次に、前記底板１および天板６を左右の側板３、４に連結固定するフック機構１１を説明する。尚、このフック機構１１は図４乃至図６に示すように、前記底板１の嵌合溝１ｂ、１ｃ及び天板６の嵌合溝６ｂ、６ｃの前後方向両側に計４個ずつ配設されているが、その内１個の天板６と右側板４とを連結固定するフック機構１１を図７乃至図１１に基づいて説明する。
【００４０】
すなわち、図７（ａ）、（ｂ）に示すように、前記右側板４中央に突設された前記天板６の嵌合溝６ｃの下半部に嵌合された嵌合突起４ａの前端寄りに所定の間隔を介して中空略Ｌ型状の嵌合突起４ｄが突設され、前記右側板４の嵌合突起４ａと嵌合突起４ｄ間底部に配置されたプレート部１４には前後方向に長いガイド孔１２が開口され、該ガイド孔１２に前記フック機構１１の主要構成部材たるフック部材１３が前後方向に摺動自在に挿着されている。尚、前記右側板４のプレート部１４の前端下部には後述するスライド板上面の前方両側に突設された小突起が係合する係合凹部４ｃが設けられている。
【００４１】
また、前記天板６の下面には、図７（ａ）、（ｂ）に示すように、前記右側板４の嵌合突起４ｄに嵌合する略Ｌ字形状の嵌合凹部６ｆが形成され、この嵌合凹部６ｆと前記嵌合溝６ｃの下半部に前記嵌合突起４ａ、４ｄがそれぞれ嵌合することによって天板６は右側板４に固定される。左側板３側も同様である。
【００４２】
一方、前記右縁のプレート部１４上方における天板６の下面には前記フック部材１３の被係止機構２４が設けられている。
【００４３】
この被係止機構２４は前記プレート部１４の略中央位置に略逆Ｌ字形状の上部ガイド２５が垂設されるとともに、前記プレート部１４の左端側に略Ｌ字形状の下部ガイド２６が垂設されている。
【００４４】
前記上部ガイド２５の下端には水平なガイド板部２５ａが下部ガイド２６側へ折曲形成され、前記下部ガイド２６の下端には水平な係止板部２６ａが上部ガイド２５側へ折曲形成されている。
【００４５】
前記上下ガイド２５、２６のガイド板部２５ａと係止板部２６ａ間は前記フック部材１３の係止部１５ａが摺動可能な間隔をもって形成され、図７（ｂ）に示す上部ガイド２５側にある係止部１５ａが下部ガイド２６側に摺動することで当該係止部１５ａが下部ガイド２６の係止板部２６ａに係止されるようになっている。
【００４６】
前記フック部材１３は、図８に示すように、プラスチック材より成り、先端に板状の係止部１５ａを有するフック頭部１５と、該フック頭部１５の下面に一体に垂設された丸棒状の操作レバー１６とを有する。尚、前記フック頭部１５は平面視長方形状で、且つ側面視略逆Ｌ字形状に形成されている。
【００４７】
一方、前記操作レバー１６は中央やや上方に長短の挟持片１７ａ、１７ｂが形成され、下方に摘み片１８が、前記フック部材１３の長手方向、つまり前記フック頭部１５の係止部１５ａの係脱方向と直交する状態で（９０度角度を変えて）一体に形成されている。
【００４８】
また、前記挟持片１７ａ、１７ｂは前記側板４のプレート部１４と後述するスライド板１９とを合せた板厚の間隔を置いて前記フック頭部１５下面の操作レバー１６に突設されている。そして、長い方の挟持片１７ａの先端上面に後述するスライド板１９を係合させる小突起１７ｃが突設されている。
【００４９】
さらに、前記操作レバー１６の下方には前記摘み片１８と９０度変位した両側に弧状の凹面部１６ａを設け、これによって前記操作レバー１６下方の摘み片１８と共に指先で摘み易くなっている。尚、前記操作レバー１６の挟持片１７ａ、１７ｂの上方側は円柱部１６ｂとなっている。尚、この円柱部１６ｂは前記右側板４のプレート部１４に設けられたガイド孔１２及び後述するスライド板１９のガイド孔２０の中央に設けられた円形凹部２０ａに嵌挿される外径を有している。
【００５０】
前記スライド１９は図９（ａ）、図９（ｂ）に示すように全体の平面視形状が長方形のプラスチック製板にて形成されている。そして、このスライド板１９の中央には前後方向（長手方向）に長いガイド孔２０が形成され、該ガイド孔２０の短手方向中央内側には円形凹部２０ａが対向してそれぞれ形成されている。
【００５１】
一方、前記スライド板１９の長手方向両端の中央やや前方寄りには一対のスリット２３がそれぞれ反対方向に開口して形成されており、これによって両スリット２３の後部側が厚板１９ａに形成され、前部側が薄板１９ｂにそれぞれ形成されている。
【００５２】
前記スライド板１９の薄板１９ｂの長手方向上面両端には、前記右側板４のプレート部１４の前端下部に所定の間隔を置いて設けられた４個の係合凹部４ｃに係合する２個の小突起１９ｃが各突設されている。これら小突起１９ｃと係合凹部４ｃとの係合関係については後述する。
【００５３】
また、前記スライド板１９の薄板１９ｂの下面中央には、前記厚板１９ａと同厚で且つ前記厚板１９ａに設けられたガイド孔２０と略同長の突面部１９ｄが突設されるとともに、該突面部１９ｄの中央前方寄りには前記フック部材１３の操作レバー１６に設けられた長い挟持片１７ａの上面前方の小突起１７ｃが係合する凹み１９ｅが形成されている。
【００５４】
このようにして、前記スライド板１９の両スリット２３と薄板１９ｂ中央に突面部１９ｄが設けられることによって当該薄板１９ｂは両方とも弾性が付与される。
【００５５】
次に、本フック機構１１を前記棚板Ａ、Ｂの右側板４に取付ける組み立て操作の詳細について図７乃至図１１に基づいて説明する。
【００５６】
先ず、前記右側板４のプレート部１４の下面にスライド板１９を両者のガイド孔１２と２０とが合致するようにして指先で当接保持させる。このとき、前記右側板４の前端下部に所定の間隔を置いて設けられた４個の係合凹部４ｃの内、最前部の係合凹部４ｃと第３番目の係合凹部４ｃに前記スライド板１９の薄板１９ｂの上面両端に突設された２個の小突起１９ｃがそれぞれ係合される。
【００５７】
この状態でフック部材１３のフック頭部１５下面に垂設された操作レバー１６を前記右側板４のプレート部１４及びスライド板１９のガイド孔２０内に、前記操作レバー１６に設けられた挟持片１７ａ、１７ｂと摘み片１８の向きを当該ガイド孔１２、２０の長さ方向と合致するようにして嵌挿させる。
【００５８】
そして、前記右側板４のプレート部１４の上下面に前記フック頭部１５とスライド板１９を当接させるとともに、前記挟持片１７ａ、１７ｂを前記スライド板１９の真下に位置するようにして前記フック部材１３を反時計廻りに９０度回動させる（図１０参照）。
【００５９】
これにより、図１１に示すように、前記操作レバー１６の上方の円柱部１６ｂが前記スライド板１９のガイド孔２０の中央部両側に形成された円形凹部２０ａ内で回転するが、このとき、当該操作レバー１６の挟持片１７ａ、１７ｂ及び摘み片１８に対して前記フック部材１３の係止部１５ａの向きが９０度変位するため、当該係止部１５ａは天板６の下方に設けられた被係止機構２４における下部ガイド２６の係止板部２６ａ側に向けられる一方、長い挟持片１７ａ及び摘み片１８は手前、つまり棚ユニットＡ、Ｂの内方に向けられる。
【００６０】
そして、前記フック部材１３の係止部１５ａは、図７（ａ）に示すように、天板６の下方に設けられた下部ガイド部２６の係止板部２６ａと非係止状態となっていると共に、長い挟持片１７ａの上面先端に突設された小突起１７ｃが前記スライド板１９下面の突面部１９ｄに設けられた凹み１９ｅに係合する。
【００６１】
このようにして前記フック部材１３は前記右側板４のプレート部１４のスライド孔１２内に嵌挿保持される。すなわち、前記スライド板１９は前記右側板４のプレート部１４下面に前記操作レバー１６に設けた長短挟持片１７ａ、１７ｂにより押圧挟持されることによって当該スライド板１９は弾性を備えた薄板１９ｂ両端に突設された小突起１９ｃが前記右側板４のプレート部１４下面前端に設けた係合凹部４ｃにいわゆるパッチン止めされる。
【００６２】
次いで、図７（ａ）に示すフック部材１３の非係止の状態において当該フック部材１３を天板６に係止させるには、棚ユニットＡ、あるいはＢの前面扉５を開けてから右側板４のプレート部１４及びスライド板１９の下方（棚ユニットＡ、Ｂの内部）に垂下している操作レバー１６下部に設けられた凹面部１６ａと摘み片１８を同時に指先で摘みつつ図７（ｂ）の後方（矢印方向）へ押し込むと、前記操作レバー１６上端の円柱部１６ｂが前記スライド板１９のガイド孔２０中央内縁に対設されている円形凹部２０ａに嵌挿係止されていることにより前記操作レバー１６の後方への移動に伴って前記スライド板１９も前記右側板４のプレート部１４の下面に摺接しつつ後方へ移動する。
【００６３】
このとき、前記右側板４のプレート部１４の前端下側に形成されている４個の係止凹部４ｃの内、最も前方の係合凹部４ｃと第３番目の係合凹部４ｃに係合しているスライド板１９の両端の小突起１９ｃが第２番目の係合凹部４ｃと最も後方の係合凹部４ｃ内に前記プレート部１４の下面を摺動しつつ係合する。前記スライド板１９両端の小突起１９ｃは弾性を備えた薄板１９ｂに形成されているため前記スライド板１９は前記プレート部１４の下面をスムーズに移行し両係合凹部４ｃ内に小突起１９ｃがいわゆるパッチン止めされる。
【００６４】
同時に図７（ｂ）に示すように、前記操作レバー１６の上端に固定されたフック部材１３のフック頭部１５が前記プレート部１４の上面を同方向に摺動し、前記天板６の被係止機構２４に係止される。
【００６５】
すなわち、前記天板６下側に設けられた上部ガイド２５下端のガイド板部２５ａにフック頭部１５の上面を摺接させつつ下部ガイド２６下端の係止板部２６ａ上面に当該フック頭部１５の下面を配置させる。これによって前記フック頭部１５の先端が下部ガイド２６の係止板部２６ａに係止され前記天板６は前記右側板４に連結固定される。
【００６６】
前記被係止機構２４及びフック機構１１は前記天板６によって完全に遮蔽されているため従来のように天板６上方からドライバー等工具を使って前記フック部材１３を後退させフック頭部２５ａを係止板部２６ａから離脱させることはできない。したがって、天板６を外部から取り外すことは不可能である。
【００６７】
尚、以上のようにして構成されたフック機構１１及び被係止機構２４は左側板３、右側板４及び底板１、天板６の上下四隅にそれぞれ設置される。
【符号の説明】
【００６８】
Ａ      下段の棚ユニット
Ｂ      上段の棚ユニット
１      底板
１ａ    嵌合溝
１ｂ    嵌合溝
１ｃ    嵌合溝
１ｄ    中間仕切板
１ｅ    リブ
２      背板
２ａ    嵌合突起
２ｂ    溝部
３      左側板
３ａ    嵌合突起
３ｂ    溝部
４      右側板
４ａ    嵌合突起
４ｂ    溝部
４ｃ    係合凹部
４ｄ    嵌合突起
５      前面扉
５ａ    軸孔
６      天板
６ａ    嵌合溝
６ｂ    嵌合溝
６ｃ    嵌合溝
６ｄ    中間仕切板
６ｅ    リブ
６ｆ    嵌合凹部
７      脚部材
８      取っ手
９      支軸
１０    ジョイント部材
１０ａ  凹部
１１    フック機構
１２    ガイド孔
１３    フック部材
１４    プレート部
１５    フック頭部
１５ａ  係止部
１６    操作レバー
１６ａ  凹面部
１６ｂ  円柱部
１７ａ  長い挟持片
１７ｂ  短い挟持片
１７ｃ  小突起
１８    摘み片
１９    スライド板
１９ａ  厚板
１９ｂ  薄板
１９ｃ  小突起
１９ｄ  突面部
１９ｅ  凹み
２０    ガイド孔
２０ａ  円形凹部
２３    スリット
２４    被係止機構
２５    上部ガイド
２５ａ  ガイド板部
２６    下部ガイド
２６ａ  係止板部
１００Ａ  棚ユニット
１００Ｂ  棚ユニット
１０１    底板
１０２    背板
１０３    側板
１０４    天板
１０５    前面扉
１０７    嵌合溝
１０８    嵌合溝
１０９    フック機構
１１０    長孔
１１０Ａ  内壁部
１１１    嵌合部
１１２    貫通口
１１３    係止板部
１１４    ガイド部材
１１４Ａ  ガイド部
１１５    嵌合突起
１１６    ガイド孔
１１７    フック部材
１１８    フック頭部
１１９    中間軸部
１２０    操作レバー
１２１    工具
【図１】
0003207854.tif 000003
【図２】
0003207854.tif 000004
【図３】
0003207854.tif 000005
【図４】
0003207854.tif 000006
【図５】
0003207854.tif 000007
【図６】
0003207854.tif 000008
【図７】
0003207854.tif 000009
【図８】
0003207854.tif 000010
【図９】
0003207854.tif 000011
【図１０】
0003207854.tif 000012
【図１１】
0003207854.tif 000013
【図１２】
0003207854.tif 000014
【図１３】
0003207854.tif 000015